(57)【要約】      （修正有）【課題】判定帰還型等化器における判定誤りを減らすために、判定帰還型等化器に供給されるデータにおけるシンボルのＣＣＫ符号化を可能とする。【解決手段】判定帰還型等化器は、チップ推定をベクトルに形成するチップ推定バッファを含む。ＣＣＫ復号器は、チップ推定のベクトルを復号し、ＣＣＫ復号器に接続されたＣＣＫ符号化器は、チップ推定のベクトルを、有効なＣＣＫ符号ワードに再符号化する。同時に、チップスライサは、チップ推定から直接スライスされたチップを提供する。その後、更新モジュールが、有効なＣＣＫ符号ワード、及び直接スライスされたチップから、判定帰還型等化器の帰還型フィルタへの入力のために混成ベクトルを作成する。混成帰還型フィルタ入力ベクトルは、再符号化された部分のＣＣＫ符号化利得を反映しているので、推定されたチップ誤り率を減らし、判定帰還型等化器の性能を改善する。【選択図】図３Ｂ
2011045095.tif 000002
【特許請求の範囲】
【請求項１】
複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップを提供するチップスライサと、
前記有効な相補的符号化キーイング符号ワードと前記直接スライスされたチップとから混成ベクトルを形成する更新モジュールと
を備えた判定帰還型等化器。
【請求項２】
前記混成ベクトルは、
前記混成ベクトルの長さが、前記有効な相補的符号化キーイング符号ワードよりも大きい場合、前記直接スライスされたチップが続く前記有効な相補的符号化キーイング符号ワードからなるチップ、
前記混成ベクトルの長さが、前記有効な相補的符号化キーイング符号ワードと等しい場合、前記有効な相補的符号化キーイング符号ワードからなるチップ、
前記混成ベクトルの長さが、前記有効な相補的符号化キーイング符号ワードよりも小さい場合、前記混成ベクトルの長さまでの前記有効な相補的符号化キーイング符号ワードからなるチップ、
として形成される請求項１に記載の判定帰還型等化器。
【請求項３】
請求項１に記載の判定帰還型等化器において、
帰還型フィルタを更に備え、前記混成ベクトルが帰還型フィルタの入力ベクトル長さに一致する長さを持ち、前記混成ベクトルが前記帰還型フィルタへの入力ベクトルである判定帰還型等化器。
【請求項４】
フィードフォワードフィルタ出力を持つフィードフォワードフィルタと、
帰還型フィルタ出力を持ち、入力として前記混成ベクトルを受け取る帰還型フィルタと、
前記フィードフォワードフィルタ出力と前記帰還型フィルタ出力とを受け取り、前記複数のチップ推定のチップ推定を生成する加算モジュールと
を更に備えた請求項１に記載の判定帰還型等化器。
【請求項５】
前記相補的符号化キーイング符号化器が、８０２．１１ｂ規格に従って前記チップ推定のベクトルを再符号化する請求項１に記載の判定帰還型等化器。
【請求項６】
フィードフォワードフィルタ出力を提供するフィードフォワードフィルタと、
帰還型フィルタ出力を提供する帰還型フィルタと、
前記フィードフォワードフィルタ出力と、前記帰還型フィルタ出力とを受け取り、複数のチップ推定のチップ推定を生成する加算モジュールと、
複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップの系列を提供するチップスライサと、
前記有効な相補的符号化キーイング符号ワードと前記直接スライスされたチップの系列とから混成ベクトルを形成し、前記帰還型フィルタへの入力ベクトルとして前記混成ベクトルを提供する更新モジュールと
を備えた判定帰還型等化器。
【請求項７】
前記有効な相補的符号化キーイング符号ワードは、［Ｘｓ’（１），Ｘｓ’（２），．．．，Ｘｓ’（８）］の形態をとり、
前記直接スライスされたチップの系列は、前記入力ベクトルが長さＭを持つとき、［Ｘｃ’（１），Ｘｃ’（２），．．．，Ｘｃ’（Ｍ）］の形態をとり、
前記更新モジュールは、Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成し、
前記更新モジュールは、Ｍ＝８の場合、前記混成ベクトルを［Ｘｓ’（１），Ｘｓ’（２），．．．，Ｘｓ’（８）］として形成し、
前記更新モジュールは、Ｍ＜８の場合、前記混成ベクトルを［Ｘｓ’（１），．．．，Ｘｓ’（Ｍ）］として形成する
請求項６に記載の判定帰還型等化器。
【請求項８】
前記有効な相補的符号化キーイング符号ワードは、８０２．１１ｂ規格に従っている請求項６に記載の判定帰還型等化器。
【請求項９】
複数のチップ推定を、チップ推定のベクトルに形成する手段と、
前記チップ推定のベクトルを、相補的符号化キーイング符号ワードに再符号化する手段と、
前記複数のチップ推定のチップをスライスし、直接スライスされたチップの系列を提供する手段と、
前記相補的符号化キーイング符号ワードと前記直接スライスされたチップの系列とから混成ベクトルを形成する手段と
を備えた判定帰還型等化器。
【請求項１０】
前記混成ベクトルを入力ベクトルとして帰還型フィルタに提供する手段と、
前記帰還型フィルタの出力を用いて、前記複数のチップ推定のチップ推定を生成する手段と
を更に備えた請求項９に記載の判定帰還型等化器。
【請求項１１】
フィードフォワードフィルタ出力と帰還型フィルタ出力とを加算し、前記複数のチップ推定のチップ推定を生成する手段を更に備えた請求項９に記載の判定帰還型等化器。
【請求項１２】
前記混成ベクトルを形成する手段は、
前記混成ベクトルの長さが、前記相補的符号化キーイング符号ワードよりも大きい場合、前記直接スライスされたチップの系列のチップが順に続く前記相補的符号化キーイング符号ワードからなるチップとして前記混成ベクトルを形成する手段と、
前記混成ベクトルの長さが、前記相補的符号化キーイング符号ワードの長さと等しい場合、前記相補的符号化キーイング符号ワードからなるチップとして前記混成ベクトルを形成する手段と、
前記混成ベクトルの長さが、前記相補的符号化キーイング符号ワードよりも小さい場合、前記混成ベクトルの長さまでの前記相補的符号化キーイング符号ワードからなるチップとして前記混成ベクトルを形成する手段と
を備えた請求項９に記載の判定帰還型等化器。
【請求項１３】
前記チップ推定のベクトルを前記相補的符号化キーイング符号ワードに再符号化する手段は、８０２．１１ｂ規格に従っている請求項９に記載の判定帰還型等化器。
【請求項１４】
送信機と受信機とを有する無線通信デバイスであって、前記受信機は、
復調のための相補的符号化キーイングデータを提供するフロントエンド処理モジュールと、
前記相補的符号化キーイングデータの相補的符号化キーイング差分符号化直交位相シフトキーイング復調を実行する復調器と、
判定帰還型等化器とを備え、前記判定帰還型等化器は、
前記フロントエンド処理モジュールから前記相補的符号化キーイングデータを受け取り、フィードフォワードフィルタ出力を提供するフィードフォワードフィルタと、
帰還型フィルタ出力を提供する帰還型フィルタと、
前記フィードフォワードフィルタ出力と前記帰還型フィルタ出力とを受け取って、複数のチップ推定のチップ推定を生成する加算モジュールと、
前記複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップの系列を提供するチップスライサと、
前記有効な相補的符号化キーイング符号ワードと前記直接スライスされたチップの系列とから混成ベクトルを形成し、前記混成ベクトルを入力ベクトルとして前記帰還型フィルタに提供する更新モジュールとを含み、
前記有効な相補的符号化キーイング符号ワードは、［Ｘｓ’（１），Ｘｓ’（２），．．．，Ｘｓ’（８）］の形態をとり、
前記直接スライスされたチップの系列は、前記入力ベクトルが長さＭを持つとき、［Ｘｃ’（１），Ｘｃ’（２），．．．，Ｘｃ’（Ｍ）］の形態をとり、
前記更新モジュールは、Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成し、
前記更新モジュールは、Ｍ＝８の場合、前記混成ベクトルを［Ｘｓ’（１），Ｘｓ’（２），．．．，Ｘｓ’（８）］として形成し、
前記更新モジュールは、Ｍ＜８の場合、前記混成ベクトルを［Ｘｓ’（１），．．．，Ｘｓ’（Ｍ）］として形成する
無線通信デバイス。
【請求項１５】
前記相補的符号化キーイング符号化器は、８０２．１１ｂ規格に従って、前記チップ推定のベクトルを、前記有効な相補的符号化キーイング符号ワードに再符号化する請求項１４に記載の無線通信デバイス。
【請求項１６】
無線ローカルエリアネットワークであって、
第一の無線ローカルエリアネットワーク通信デバイスと、
前記第一の無線ローカルエリアネットワーク通信デバイスと通信する第二の無線ローカルエリアネットワーク通信デバイスとを備え、
前記第二の無線ローカルエリアネットワーク通信デバイスは、
前記第一の無線ローカルエリアネットワーク通信デバイスからデータ送信を受信し、前記データ送信をフロントエンド処理モジュールを用いて処理し、復調のための相補的符号化キーイングデータを提供する受信機と、
前記相補的符号化キーイングデータの相補的符号化キーイング差分符号化直交位相シフトキーイング復調を実行する復調器と、
判定帰還型等化器とを含み、前記判定帰還型等化器は、
前記フロントエンド処理モジュールから前記相補的符号化キーイングデータを受け取り、フィードフォワードフィルタ出力を提供するフィードフォワードフィルタと、
帰還型フィルタ出力を提供する帰還型フィルタと、
前記フィードフォワードフィルタ出力と前記帰還型フィルタ出力とを受け取って、複数のチップ推定のチップ推定を生成する加算モジュールと、
前記複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップの系列を提供するチップスライサと、
前記有効な相補的符号化キーイング符号ワードと前記直接スライスされたチップの系列とから混成ベクトルを形成し、前記混成ベクトルを入力ベクトルとして前記帰還型フィルタに提供する更新モジュールとを有し、
前記混成ベクトルが、
前記入力ベクトルの長さが、前記有効な相補的符号化キーイング符号ワードよりも大きい場合、前記直接スライスされたチップの系列のチップが順に続く前記有効な相補的符号化キーイング符号ワードからなるチップ、
前記入力ベクトルの長さが、前記有効な相補的符号化キーイング符号ワードの長さと等しい場合、前記相補的符号化キーイング符号ワードからなるチップ、
前記入力ベクトルの長さが、前記有効な相補的符号化キーイング符号ワードよりも小さい場合、前記入力ベクトルの長さまでの前記有効な相補的符号化キーイング符号ワードからなるチップ
として形成される無線ローカルエリアネットワーク。
【請求項１７】
前記有効な相補的符号化キーイング符号ワードの長さは８であり、
前記有効な相補的符号化キーイング符号ワードは、［Ｘｓ’（１），Ｘｓ’（２），．．．，Ｘｓ’（８）］の形態をとり、
前記直接スライスされたチップの系列は、前記入力ベクトルが長さＭを持つとき、［Ｘｃ’（１），Ｘｃ’（２），．．．，Ｘｃ’（Ｍ）］の形態をとり、
前記更新モジュールは、Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成し、
前記更新モジュールは、Ｍ＝８の場合、前記混成ベクトルを［Ｘｓ’（１），Ｘｓ’（２），．．．，Ｘｓ’（８）］として形成し、
前記更新モジュールは、Ｍ＜８の場合、前記混成ベクトルを［Ｘｓ’（１），．．．，Ｘｓ’（Ｍ）］として形成する
請求項１６に記載の無線ローカルエリアネットワーク。
【請求項１８】
有線ローカルエリアネットワークと通信するアクセスポイントを更に備え、前記第二の無線ローカルエリアネットワーク通信デバイスは、前記アクセスポイントを経由して、前記有線ローカルエリアネットワークと通信する請求項１６に記載の無線ローカルエリアネットワーク。
【請求項１９】
前記データ送信は、８０２．１１ｂ規格に従っている請求項１６に記載の無線ローカルエリアネットワーク。
【請求項２０】
前記相補的符号化キーイング符号化器は、８０２．１１ｂ規格に従って前記チップ推定のベクトルを再符号化する請求項１６に記載の無線ローカルエリアネットワーク。
【請求項２１】
判定帰還型等化のための方法であって、
複数のチップ推定を、チップ推定のベクトルに形成することと、
前記チップ推定のベクトルを、相補的符号化キーイング符号ワードに再符号化することと、
前記複数のチップ推定のうちの一つのチップをスライスし、直接スライスされたチップの系列を提供することと、
前記相補的符号化キーイング符号ワードと前記直接スライスされたチップの系列とから混成ベクトルを形成することと
の各ステップを備えた方法。
【請求項２２】
前記混成ベクトルを入力ベクトルとして帰還型フィルタに提供することと、
前記帰還型フィルタの出力を用いて、前記複数のチップ推定のチップ推定を生成することと
の各ステップを更に備えた請求項２１に記載の方法。
【請求項２３】
前記混成ベクトルを形成するステップは、
前記混成ベクトルの長さが、前記相補的符号化キーイング符号ワードよりも大きい場合、前記直接スライスされたチップの系列のチップが順に続く前記相補的符号化キーイング符号ワードからなるチップとして前記混成ベクトルを形成することと、
前記混成ベクトルの長さが、前記相補的符号化キーイング符号ワードの長さと等しい場合、前記相補的符号化キーイング符号ワードからなるチップとして前記混成ベクトルを形成することと、
前記混成ベクトルの長さが、前記相補的符号化キーイング符号ワードよりも小さい場合、前記混成ベクトルの長さまでの前記相補的符号化キーイング符号ワードからなるチップとして前記混成ベクトルを形成することと
を備えた請求項２１に記載の方法。
【請求項２４】
前記相補的符号化キーイング符号ワードは８の長さを持ち、
前記相補的符号化キーイング符号ワードは、［Ｘｓ’（１），Ｘｓ’（２），．．．，Ｘｓ’（８）］の形態をとり、
前記直接スライスされたチップの系列は、前記混成ベクトルが長さＭを持つとき、［Ｘｃ’（１），Ｘｃ’（２），．．．，Ｘｃ’（Ｍ）］の形態をとり、
前記混成ベクトルを形成するステップは、
Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成することと、
Ｍ＝８の場合、前記混成ベクトルを［Ｘｓ’（１），Ｘｓ’（２），．．．，Ｘｓ’（８）］として形成することと、
Ｍ＜８の場合、前記混成ベクトルを［Ｘｓ’（１），．．．，Ｘｓ’（Ｍ）］として形成することと
を含む請求項２１に記載の方法。
【請求項２５】
フィードフォワードフィルタ出力と帰還型フィルタ出力とを加算し、前記複数のチップ推定のチップ推定を生成するステップを更に備えた請求項２１に記載の方法。
【請求項２６】
前記チップ推定のベクトルを相補的符号化キーイング符号ワードに再符号化するステップは、８０２．１１ｂ規格に従っている請求項２１に記載の方法。
【請求項２７】
ローカルエリアネットワーク内のアクセスポイントと無線デバイスとの間の通信のための無線受信機における復調のための等化の方法であって、
第一の無線ローカルエリアネットワーク通信デバイスから第二の無線ローカルエリアネットワーク通信デバイスへのデータ送信を通信することと、
前記第二の無線ローカルエリアネットワーク通信デバイスによって、前記第一の無線ローカルエリアネットワーク通信デバイスからの前記データ送信を受信することと、
前記第二の無線ローカルエリアネットワーク通信デバイスによってフロントエンド処理モジュールを介してデータ送信を処理し、復調のための相補的符号化キーイングデータを提供することと、
前記相補的符号化キーイングデータからの複数のチップ推定を、チップ推定のベクトルに形成することと、
前記チップ推定のベクトルを、相補的符号化キーイング符号ワードに再符号化することと、
前記複数のチップ推定のうちの一つのチップをスライスし、直接スライスされたチップの系列を提供することと、
前記相補的符号化キーイング符号ワードと前記直接スライスされたチップの系列とから混成ベクトルを形成することと
の各ステップを備えた方法。
【請求項２８】
前記混成ベクトルを入力ベクトルとして帰還型フィルタに提供することと、
前記帰還型フィルタの出力を用いて、前記複数のチップ推定のチップ推定を生成することと
の各ステップを更に備えた請求項２７に記載の方法。
【請求項２９】
アクセスポイントを経由して、有線ローカルエリアネットワークと、前記データ送信を通信するステップを更に備えた請求項２７に記載の方法。
【請求項３０】
前記混成ベクトルを形成するステップは、
前記混成ベクトルの長さが、前記相補的符号化キーイング符号ワードよりも大きい場合、前記直接スライスされたチップの系列のチップが順に続く前記相補的符号化キーイング符号ワードからなるチップを前記混成ベクトルとして形成することと、
前記混成ベクトルの長さが、前記相補的符号化キーイング符号ワードの長さと等しい場合、前記相補的符号化キーイング符号ワードからなるチップを前記混成ベクトルとして形成することと、
前記混成ベクトルの長さが、前記相補的符号化キーイング符号ワードよりも小さい場合、前記混成ベクトルの長さまでの前記相補的符号化キーイング符号ワードからなるチップとして前記混成ベクトルを形成することと
を備えた請求項２７に記載の方法。
【請求項３１】
前記相補的符号化キーイング符号ワードは８の長さを持ち、
前記相補的符号化キーイング符号ワードは、［Ｘｓ’（１），Ｘｓ’（２），．．．，Ｘｓ’（８）］の形態をとり、
前記直接スライスされたチップの系列は、前記混成ベクトルが長さＭを持つとき、［Ｘｃ’（１），Ｘｃ’（２），．．．，Ｘｃ’（Ｍ）］の形態をとり、
前記混成ベクトルを形成するステップは、
Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成することと、
Ｍ＝８の場合、前記混成ベクトルを［Ｘｓ’（１），Ｘｓ’（２），．．．，Ｘｓ’（８）］として形成することと、
Ｍ＜８の場合、前記混成ベクトルを［Ｘｓ’（１），．．．，Ｘｓ’（Ｍ）］として形成することと
を含む請求項２７に記載の方法。
【請求項３２】
前記チップ推定のベクトルを相補的符号化キーイング符号ワードに再符号化するステップは、８０２．１１ｂ規格に従っている請求項２７に記載の方法。
【請求項３３】
前記データ送信を通信するステップは、８０２．１１ｂに従っている含む請求項２７に記載の方法。
【発明の詳細な説明】
【技術分野】
【０００１】
本発明は、一般に、無線通信デバイスに関し、特に、ローカルエリアネットワーク（ＬＡＮ）内の無線デバイス及びアクセスポイント間の通信のための無線受信機における復調のための等化に関する。
【背景技術】
【０００２】
無線通信デバイス、例えば、無線周波数信号送信を用いるデバイスは、無線ＬＡＮ通信のために使用されうる。そのような無線ＬＡＮ通信デバイスは、局又はアクセスポイントと表現される。局は一般にラップトップコンピュータ、携帯電話、ポータブルモデル、又はパーソナルデジタルアシスタンツ（ＰＤＡ）内に見うけられる。ここでは、これらはアクセスポイントを通じた有線ＬＡＮとの通信のために使用される。これらは、有線ＬＡＮに接続され、有線ＬＡＮを無線通信デバイスへインタフェースするための無線送信機／受信機として手短に表現される。また、局は、アクセスポイントの存在無しで、ピアツゥーピアネットワーク内の他の局とも通信する。これは“ａｄ−ｈｏｃ”モードで動作しているものと表現される。そのような無線ＬＡＮ通信デバイスは、異なる製造者によって作成されたシステムの間の互換性のような標準化の利点を確保するために、標準仕様に従って製造されうる。無線ＬＡＮ通信ネットワークのためのそのような一つの規格は、例えば、電気電子技術者協会（ＩＥＥＥ）によって発行された８０２．１１ｂ規格、特に、ＩＥＥＥ規格８０２．１１ｂ−１９９９、“Part ll: Wireless LAN Medium Access Control (MAC) and Physical Layer(PHY) specifications: Higher-Speed Physical Layer Extension in the 2.4 GHz Band”である。これは、本明細書に参照により組み込まれる。
【０００３】
受信機は、例えば、８０２．１１ｂ規格に従って、レート１，２，３，又は４で、処理するためのデータ送信を受信する。データ送信は、８０２．１１ｂ規格に従って、無線ＬＡＮ内の別の無線通信デバイスの送信機から発するかもしれない。このデータ送信は、受信機においてフロントエンド処理を受ける。この処理は、例えば、当該技術分野で知られているような自動利得制御（ＡＧＣ）、オフセット制御、時間追跡ループ（ＴＴＬ）処理、位相ロックループ（ＰＬＬ）処理、Ｂａｒｋｅｒ逆拡散及び再拡散、チャネルインパルス応答の推定（ＣＩＲ）、及びチャネルマッチトフィルタ（ＣＭＦ）処理を含みうる。レート１及び２データは、当該技術分野で知られているような符号マッチトフィルタ（ＣＭＦ）処理と、差分符号化直交位相シフトキーイング（ＤＥＱＰＳＫ：differentially encoded quadrature phase shift keying）復調とを受ける。８０２．１１ｂ規格に従う相補的符号化キーイング（ＣＣＫ：complementary code keying）データであるレート３及び４データは、等化を必要とし、フロントエンド処理後に等化器に渡され、その後、ＣＣＫ  ＤＥＱＰＳＫ復調のために復調器に渡される。
【０００４】
等化器は、一般に、一つはフィードフォワードフィルタ（ＦＦＦ）であり、もう一つは帰還型フィルタ（ＦＢＦ）である二つの有限インパルス応答（ＦＩＲ：finite impulse response）フィルタを組み込んだ判定帰還型等化器（ＤＦＥ：decision feedback equalizer）であって良い。判定帰還型等化器は、例えば、分散的な伝搬チャネルによって引き起こされるシンボル間干渉（ＩＳＩ：intersymbol interference）を抑制するために使用されうる。フィードフォワードフィルタは、データに対して直接作用し、帰還型フィルタは、前に検出されたデータシンボルに作用する。判定帰還型等化器は、一般に、線形等化器より性能が優れているが、例えばＩＳＩを抑制することに関して、不正確に検出されたシンボルが帰還型フィルタを通じて供給される場合、ＤＦＥ性能における劣化が起こるかもしれない。等化器へのフィードバックの判定誤りは、その判定誤りが、当該技術分野で知られているようなビット及びシンボル誤りの平均確率を増加させながら、バースト状に引き起こるようなより正しくない判定を引き起こす傾向にありうる。
【０００５】
理解されるように、判定帰還型等化器における判定誤りを減らすために、判定帰還型等化器に供給されるデータにおけるシンボルのＣＣＫ符号化を使用することに対する必要性が存在する。また、判定帰還型等化器及びＤＥＱＰＳＫ復調の性能を改善するために、データのＣＣＫ符号化を利用する判定帰還型等化器に対する必要性も存在する。
【発明の概要】
【０００６】
実施例では、判定帰還型等化器は、チップ推定をベクトルに形成するチップ推定バッファと、チップ推定のベクトルを復号するＣＣＫ復号器と、ＣＣＫ復号器と接続されたＣＣＫ符号化器とを含んでいる。これによって、ＣＣＫ符号化器が、チップ推定のベクトルを、有効なＣＣＫ符号ワードに再符号化することができる。同時に、チップスライサが、チップ推定から直接スライスされたチップを提供する。その後、更新モジュールが、有効なＣＣＫ符号ワード、及び直接スライスされたチップから、判定帰還型等化器の帰還型フィルタへの入力のために混成ベクトルを作成する。
【０００７】
別の実施例では、判定帰還型等化器が、出力を持つフィードフォワードフィルタ、出力を持つ帰還型等化器、及びフィードフォワードフィルタ出力と帰還型等化器出力とを組み合わせてチップ推定を生成する加算モジュールを含む。チップ推定バッファは、チップ推定をベクトルに形成する。ＣＣＫ復号器は、チップ推定のベクトルを復号し、ＣＣＫ復号器に接続されたＣＣＫ符号化器は、チップ推定のベクトルを、有効なＣＣＫ符号ワードに再符号化する。同時に、チップスライサは、チップ推定から直接スライスされたチップの系列を提供する。更新モジュールは、有効なＣＣＫ符号ワード、及び直接スライスされたチップの系列から混成ベクトルを形成し、この混成ベクトルを入力ベクトルとして前記帰還型フィルタに提供する。
【０００８】
実施例では、判定帰還型等化器は、チップ推定をチップ推定のベクトルに形成する手段と、チップ推定のベクトルをＣＣＫ符号ワードに再符号化する手段と、チップ推定をスライスし、直接スライスされたチップの系列を提供する手段と、ＣＣＫ符号ワード、及び直接スライスされたチップの系列から混成ベクトルを形成する手段とを含んでいる。
【０００９】
本発明の更に別の局面では、無線通信デバイスが送信機と受信機とを含んでいる。受信機は、復調のためのＣＣＫデータを提供するフロントエンド処理モジュールと、ＣＣＫデータのＣＣＫ  ＤＥＱＰＳＫ復調を実行する復調器と、判定帰還型等化器とを含んでいる。
【００１０】
判定帰還型等化器は、フロントエンド処理モジュールからＣＣＫデータを受け取るフィードフォワードフィルタと、帰還型フィルタとを含んでいる。加算モジュールは、フィードフォワードフィルタ出力と、帰還型フィルタ出力とを受け取り、チップ推定を生成する。チップ推定バッファは、チップ推定を、チップ推定のベクトルに形成する。ＣＣＫ復号器は、チップ推定のベクトルを復号し、ＣＣＫ復号器に接続されたＣＣＫ符号化器は、チップ推定のベクトルを、有効なＣＣＫ符号ワードに再符号化する。その間、チップスライサは、チップ推定から直接スライスされたチップの系列を提供する。
【００１１】
更新モジュールは、有効なＣＣＫ符号ワード、及び直接スライスされたチップの系列から混成ベクトルを形成し、この混成ベクトルを入力ベクトルとして帰還型フィルタに提供する。より具体的には、有効なＣＣＫ符号ワードは、［ｘｓ’（１），ｘｓ’（２），．．．，ｘｓ’（８）］の形態を持ち、直接スライスされたチップの系列は、入力ベクトルが長さＭを持つとき、［ｘｃ’（１），ｘｃ’（２），．．．，ｘｃ’（Ｍ）］の形態を持つ。更新モジュールは、Ｍ＞８の場合、混成ベクトルを［ｘｓ’（１），ｘｓ’（２），．．．，ｘｓ’（８），ｘｃ’（９），．．．，ｘｃ’（Ｍ）］として形成し、Ｍ＝８の場合、混成ベクトルを［ｘｓ’（１），ｘｓ’（２），．．．，ｘｓ’（８）］として形成し、Ｍ＜８の場合、混成ベクトルを［ｘｓ’（１），．．．，ｘｓ’（Ｍ）］として形成する。
【００１２】
また別の実施例では、無線ローカルエリアネットワークは、第一の無線ＬＡＮ通信デバイスと、第一の無線ＬＡＮ通信デバイスと通信する第二の無線ＬＡＮ通信デバイスとを含んでいる。第二の無線ＬＡＮ通信デバイスは、第一の無線ＬＡＮ通信デバイスからのデータ通信を受信し、このデータ通信をフロントエンド処理モジュールを通じて処理し、復調用のＣＣＫデータを提供する受信機と、ＣＣＫデータのＣＣＫ  ＤＥＱＰＳＫ復調を実行する復調器と、判定帰還型等化器とを含んでいる。
【００１３】
判定帰還型等化器は、フロントエンド処理モジュールからＣＣＫデータを受け取るフィードフォワードフィルタと、帰還型フィルタと、フィードフォワードフィルタ出力と帰還型フィルタ出力とを受け取り、チップ推定を生成する加算モジュールとを含んでいる。チップ推定バッファは、チップ推定をベクトルに形成する。ＣＣＫ復号器は、チップ推定のベクトルを復号し、ＣＣＫ復号器に接続されたＣＣＫ符号化器は、チップ推定のベクトルを、有効なＣＣＫ符号ワードに再符号化する。同時に、チップスライサは、チップ推定から直接スライスされたチップの系列を提供する。
【００１４】
更新モジュールは、有効なＣＣＫ符号ワードと、直接スライスされたチップの系列とから混成ベクトルを形成し、この混成ベクトルを入力ベクトルとして帰還型フィルタに提供する。混成ベクトルは、（１）有効なＣＣＫ符号ワードの長さが、入力ベクトルの長さよりも短い場合、直接スライスされたチップの系列のチップが順に続く有効なＣＣＫ符号ワードのチップ、（２）有効なＣＣＫ符号ワードの長さが、入力ベクトルの長さに等しい場合、有効なＣＣＫ符号ワードのチップ、又は（３）有効なＣＣＫ符号ワードの長さが、入力ベクトルの長さよりも長い場合、入力ベクトルの長さまでの有効なＣＣＫ符号ワードのチップとして形成される。
【００１５】
実施例では、判定帰還型等化のための方法は、（１）複数のチップ推定を、チップ推定のベクトルに形成することと、（２）チップ推定のベクトルを、ＣＣＫ符号ワードに再符号化することと、（３）チップ推定をスライスし、直接スライスされたチップの系列を提供することと、（４）ＣＣＫ符号ワードと、直接スライスされたチップの系列とから混成ベクトルを形成することとからなる各ステップを含む。
【００１６】
これら及びその他の特徴と実施例は、以下の図面、説明、及び特許請求の範囲を参照してより良く理解されるようになるであろう。
【図面の簡単な説明】
【００１７】
【図１】図１は、有線ＬＡＮへのアクセスを持つ本発明の実施例に従った無線ＬＡＮの図である。
【図２】図２は、本発明の実施例に従った無線通信デバイスのための受信機のブロック図である。
【図３Ａ】図３Ａは、本発明の一つの実施例に従った典型的な判定帰還型等化器のブロック図である。
【図３Ｂ】図３Ｂは、本発明の一つの実施例に従った判定帰還型等化器の典型的なサブシステムのブロック図である。
【図４】図４は、例えば図１に示すような無線通信デバイスのための、本発明の一つの実施例に従った判定帰還型等化のための方法の一つの例を示すフローチャートである。
【発明を実施するための形態】
【００１８】
以下の詳細記述は、本発明を実行する現在考慮されている最良のモードである。本発明の範囲は、特許請求の範囲によって最も良く定義されているので、以下の記述は、限定する意味でとられるべきではなく、単に本発明の一般的な原理を例示する目的のために行われた。
【００１９】
大雑把に言えば、本発明の一つの実施例は、無線ローカルエリアネットワーク（ＬＡＮ）通信のための判定帰還型等化器（ＤＦＥ：decision feedback equalizer）を提供する。これは、従来技術とは逆に、データの相補的符号化キーイング（ＣＣＫ）符号化を活用し、例えば、判定帰還型等化器内の判定誤りを低減することによって、判定帰還型等化器の性能を改良する。本発明の応用から利益を得るかもしれない無線通信デバイスの一つの例は、例えば、８０２．１１ｂシステムで見られるような無線ＬＡＮ通信デバイスである。これは、ＩＥＥＥ８０２．１１ｂ規格に従って、アクセスポイントを通じて有線ＬＡＮと通信するために使用されるラップトップコンピュータ、携帯電話、ポータブルモデム、又はパーソナルデジタルアシスタンツ（ＰＤＡ）で一般に見られる。しかしながら、本発明は、８０２．１１ｂ規格に限定されない。
【００２０】
本発明の実施例は、ＤＥＦ帰還型フィルタ（ＦＢＦ）への入力を修正ために、ＣＣＫ符号化器／復号器サブシステムを用いるかもしれない。ＦＢＦへの入力は、チップ推定の系列を含むベクトルとして考えられるかもしれない。ベクトルの先頭（時間における一番はじめ、すなわち最初のものであって、ＤＦＥ帰還型フィルタ入力ベクトル（Ｘ）のチップ推定の系列の一つ）は、最後に再符号化されたＣＣＫチップと交換されうる。再符号化されたＣＣＫチップは、例えば、ＣＣＫマッチトフィルタ（ＭＦ）ベースのデータ検出、すなわち、データ復元又は復号、から提供される。その後、８チップを持つＣＣＫ符号ワードに再符号化される。従って、入力ベクトルＸチップは、一例として、８に置き換えられる。この場合、系列の８番目までのチップが、一度に、ＣＣＫ再符号化されたチップと交換されうる。対応するＣＣＫ符号ワードへＣＣＫデータを符号化することが続く結合されたＣＣＫマッチトフィルタベースのデータ検出は、従来技術、単一の段階、及びチップ推定の直接スライス、すなわち、帰還型フィルタへの入力ベクトルＸに、チップスライサからの推定されたチップを一度に一チップ提供するのものよりも優れたＣＣＫ符号化利得を反映している。
【００２１】
上記で称した“符号化利得”は、任意のチップストリングではなく、個々のデータビットをワードに符号化することによって達成される誤り低減における利点として説明されうる。そのような符号化利得は、それぞれの文字からなるあらゆるストリングが許されているので、任意のストリングにおけるスペル誤りを検出することが不可能な文字の任意のストリングとは対照的に、ワードにおけるスペル誤りを辞書から見つけ、訂正する容易さに匹敵する。
【００２２】
図１は、本発明を適用することができ、８０２．１１規格（又はその他幾つかの規格）に従った無線ＬＡＮにおける通信、又は８０２．１１規格（又はその他幾つかの規格）に従ったアクセスポイントを通じた有線ＬＡＮとの通信のために使用されるラップトップコンピュータ、携帯電話、ポータブルモデム、又はパーソナルデジタルアシスタンツ（ＰＤＡ）に使用されうる無線ローカルエリアネットワーク（ＬＡＮ）通信デバイスの例を示している。図１は、無線通信デバイス１０２ａ〜１０２ｅを備えた典型的な無線ＬＡＮ１００を示している。ここでは、例えば無線通信デバイス１０２ａのような無線通信デバイスのうちの少なくとも一つが、以下に十分に説明するような本発明の実施例に従った判定帰還型等化器を持ち、８０２．１１ｂ規格に従ってデータ送信を処理するための受信機を含んでいる。図１に例示するように、通信デバイス１０２ａは、例えばラップトップコンピュータ１０５に含まれ、ラップトップコンピュータ１０５と無線ＬＡＮ１００との間の無線通信を提供する。通信デバイス１０２ａ〜１０２ｅのうちの一つ又は複数は、本発明の実施例に従って、データ送信を処理するための判定帰還型等化器を有する受信機を含んでいる。
【００２３】
無線ＬＡＮ１００は、例えば無線通信デバイス１０２ａ〜１０２ｅが、アクセスポイント無しでピアトゥピアネットワークで動作できるように、上述したようなａｄ−ｈｏｃモードで動作する。又は、無線ＬＡＮ１００は、一つ又は複数のアクセスポイント１０６を通じて有線ＬＡＮ１０８に接続されうる。例えば、アクセスポイント１０６ａ及び１０６ｂは、無線ＬＡＮ１００と有線ＬＡＮ１０８との間で、８０２．１１規格（又はその他の規格）に従って無線通信を提供する。有線ＬＡＮ１０８は、例えば、当該技術で知られているようなネットワークプリンタ１１０、パーソナルコンピュータ１１２、及びファイルサーバ１１４のような種々のデバイスとの接続のために使用されうる。有線ＬＡＮ１０８はまた、例えば、ネットワークプリンタ１１０、パーソナルコンピュータ１１２、及びファイルサーバ１１４のような種々のデバイスを、アクセスポイント１０６ａ及び１０６ｂに接続し、もってこれらデバイスを無線ＬＡＮ１００に接続するために使用されうる。例えばアクセスポイント１０６ａのように、アクセスポイントのうちの一つ又は複数は、本発明の実施例に従った混成判定帰還型等化器を用いて、８０２．１１ｂ規格に従って、レート３又は４でデータ送信を処理する受信機を含みうる。
【００２４】
図２は、８０２．１１ｂ規格に従って、レート１，２，３又は４でデータ送信を処理する、一つの実施例に従った判定帰還型等化器を有する受信機２００を例示している。受信機２００は、８０２．１１ｂ規格に従って、例えば、図１に示す無線通信デバイス１０２ａのような無線通信デバイスの送信機から送られたデータ送信２０２を受信する。データ送信２０２は、例えば、当該技術で知られているような自動利得制御（ＡＧＣ）、オフセット制御、時間追跡ループ（ＴＬＬ）処理、位相ロックループ（ＰＬＬ）処理、Ｂａｒｋｅｒ逆拡散及び再拡散、チャネルインパルス応答（ＣＩＲ）の推定、及びチャネルマッチトフィルタ（ＣＭＦ）処理を含むフロントエンド処理を、フロントエンド処理モジュール２０４において実行する。その後、レート１及び２のデータ２０６は、当該技術分野で知られているように、符号マッチトフィルタ（ＣＭＦ）処理のためにブロック２０８に送られ、更に、差分符号化直交位相シフトキーイング（ＤＥＱＰＳＫ）復調のためにブロック２１０に送られる。８０２．１１ｂ規格に従って、ＣＣＫデータであるレート３及び４のデータ２１２は、等化を必要とし、モジュール２０４におけるフロントエンド処理の後、判定帰還型等化器２１４に送られる。判定帰還型等化器２１４による処理の後、ＣＣＫ符号化されたレート３及び４のデータ２１２は、ＣＣＫ  ＤＥＱＰＳＫ復調のために復調器２１６に送られる。
【００２５】
等化器２１４は、一つの実施例に従えば、二つの有限インパルス応答（ＦＩＲ）フィルタ、すなわち一つのフィードフォワードフィルタ（ＦＦＦ）、及びその他の帰還型フィルタ（ＦＢＦ）を組み込んだ判定帰還型等化器である。この判定帰還型等化器は、例えば、分散的な伝搬チャネルによって引き起こされるシンボル間干渉（ＩＳＩ）を抑制するために使用される。フィードフォワードフィルタは、データ２１２に作用し、帰還型フィルタは、前に検出されたデータシンボルに作用する。
【００２６】
動作において、判定帰還型等化器２１４は、ソフト推定された（例えば）８つ毎のチップを、フィードフォワードフィルタと帰還型フィルタとの合流点（すなわち、ＦＦＦとＦＢＦとの合計出力）において、例えば無線ＬＡＮ１００におけるデータ送信のようなデータ送信内で送信されたオリジナルデータの形態を持つ検出されたデータビットへ復号し、検出されたデータビットを、８要素ＣＣＫ符号ワード（すなわち、複合配置）に再符号化する。判定帰還型等化器２１４は、その後、ＦＢＦ入力ベクトルＸの先頭を、再符号化されたＣＣＫ符号ワードと交換する。すなわち、この入力ベクトルＸを再スタックする。そして、このＸの再スタックを、定期的に行う。
【００２７】
８０２．１１ｂ通信の場合、オリジナルデータビットのＣＣＫ符号化は、８０２．１１ｂ規格によって特定されており、データ送信のレートに依存する。レート３データ、すなわち、毎秒５．５ミリオンビット（Ｍｂｉｔ／ｓ）で送信されるデータは、シンボル毎に４ビットで送信される。一方、レート４データ、すなわち、毎秒１１ミリオンビット（Ｍｂｉｔ／ｓ）で送信されるデータは、シンボル毎に８ビットで送信される。一度に４又は８のデータビットを、８チップＣＣＫ符号ワードに符号化することによって、データは、レート３又は４で送信される。従って、レート３データについては１６の符号ワードで十分であり、レート４データについては２５６の符号ワードで十分である。符号化は、ＣＣＫ符号化を用いた直交位相シフトキーイング（ＱＰＳＫ）と差分直交位相シフトキーイング（ＤＱＰＳＫ）との組み合わせを用いて、８０２．１１ｂ規格に従って遂行される。例えば、レート３データ送信の場合、４ビット符号化は、上記で参照され、ここでは参考文献として組み込まれているＩＥＥＥ規格８０２．１１ｂ−１９９９のセクション１８．４．６．５．２のテーブル１０８，１０９を使用し、レート４データ送信の場合、８ビット符号化は、ＩＥＥＥ規格８０２．１１ｂ−１９９９のセクション１８．４．６．５．３のテーブル１０８，１１０と、セクション１８．４．６．５の公式（１）とを用いる。各ＣＣＫ符号ワードは８チップを持っている。ここで、チップは、例えば、４つの値＋１、−１、＋ｊ、又は−ｊのうちの一つを持つ複素数と考えられる。各ＣＣＫ符号ワードは、８０２．１１ｂ規格によって特定されるように、４ビットであるレート３データか、８ビットであるレート４データかの何れか一方を表す。
【００２８】
従って、受信機において、データは、１６符合ワード（レート３）又は２５６符合ワード（レート４）のどちらが送信されたのかを推定するために、取得されたチップのストリーム、すなわちレート３及びレート４のデータ２１２を用い、その後、符号ワードから送信されたデータが４ビット（レート３）であるか、８ビット（レート４）であるかを判定することによって、オリジナルのデータの形態を持つビットに検出、すなわち復元される。データ検出は、例えば、最尤推定又は最小平均平方誤差推定を用いたチップマッチトフィルタ検出を用いて実施される。
【００２９】
８０２．１１ｂ規格に従ったＣＣＫ符号化が、本発明の実施例を例示するために使用されているが、本発明は、ＣＣＫデータ符号化を用いたデータ送信のその他の規格又は形態にも適用可能でありうる。
【００３０】
図３Ａに示すように、一つの実施例に従った典型的な判定帰還型等化器３００が例示されている。判定帰還型等化器３００は、例えばデータ２１２のようなＣＣＫデータを、例えばフロントエンド処理モジュール２０４のような受信機フロントエンド処理モジュールから受け取る。データ２１２は、フィードフォワードフィルタ３０６、Ｂａｒｋｅｒピーク検出モジュール３０７、及びＢａｒｋｅｒマッチトフィルタ３０９に渡される。Ｂａｒｋｅｒマッチトフィルタ３０９の出力は、Ｂａｒｋｅｒ再拡散モジュール３１１に接続される。Ｂａｒｋｅｒ再拡散モジュール３１１の出力は、誤りモジュール３１３に接続される。誤りモジュール３１３はまた、入力として、チップ推定３１２をも受け取る。モジュール３１５は、最小平均平方（ＬＭＳ：least mean square）アルゴリズムを用いうるＦＦＦ及びＦＢＦの係数を更新する適応アルゴリズムを実施できる。モジュール３１５は、誤りモジュール３１３、Ｂａｒｋｅｒピーク検出モジュール３０７、及び更新モジュール３２６から入力を受け取る。モジュール３１５は、図３Ａで見られるように、帰還型フィルタ３１０及びフィードフォワードフィルタ３０６へ出力を提供する。Ｂａｒｋｅｒピーク検出モジュール３０７、Ｂａｒｋｅｒマッチトフィルタ３０９、Ｂａｒｋｅｒ再拡散モジュール３１１，誤りモジュール３１３，及びモジュール３１５の実施及び機能は、従来技術で一般に知られている。
【００３１】
チップ推定ベクトル３１６を、ＣＣＫ復号／符号化モジュール３２１に提供するために、以下により十分に説明するように、加算器３０２が使用されうる。ＣＣＫ復号／符号化モジュール３２１は、図３Ｂに示すように、そして以下に説明するように、例えばＣＣＫ復号器３１８及びＣＣＫ符号化器３２２を用いて実施される。ＣＣＫ復号／符号化モジュール３２１、チップスライサ３２８、及び更新モジュール３２６は、ＣＣＫ符号化利得を反映している入力ベクトル３３４を、以下に示し、図３Ｂに示すように、帰還型フィルタ３１０に提供するために使用される。
【００３２】
図３Ｂに示すように、一つの実施例に従った典型的な判定帰還型等化器３００のサブシステム３５０が例示されている。判定帰還型等化器３００のサブシステム３５０は、フィードフォワードフィルタ３０６の出力３０４を、帰還型フィルタ３１０の出力３０８と結合する加算器３０２を含んでいる。判定帰還型等化器の帰還型フィルタとフィードフォワードフィルタとの実施及び機能は当該技術分野で知られている。例えば、フィードフォワードフィルタ３０６は、例えばフロントエンド処理モジュール２０４のような受信機フロントエンド処理モジュールから、データ２１２のようなＣＣＫデータを受け取る。フィードフォワードフィルタ３０６の出力３０４は、例えば、８チップからなるＣＣＫ符号ワードのうちの一つのようなチップ推定の形態を持つかもしれない。同様に、帰還型フィルタ３１０の出力３０８は、例えば、８チップからなるＣＣＫ符号ワードのうちの一つのようなチップ推定の形態を持つかもしれない。出力３０４と出力３０８とはともに、複素数であると考えられうる。加算器３０２は、例えば、複素数を加えることによって出力３０４と出力３０８とを結合し、推定されたチップ、すなわちチップ推定３１２を生成する。これは、Ｘｅ（ｉ）と示され、同様に複素数であると考えられる。
【００３３】
チップ推定３１２は、チップ推定バッファ３１４へ渡される。チップ推定バッファ３１４は、チップ推定３１２の系列を一つの系列に集める。例えば、一度に８つのチップ推定３１２が集められ、推定ベクトル３１６が形成される。これは、Ｘｅ＝［Ｘｅ（１），Ｘｅ（２），．．．，Ｘｅ（８）］と示される。従って、推定ベクトル３１６  Ｘｅは、ＣＣＫ符号ワードと同様に、８つのチップを持っている。
【００３４】
推定ベクトル３１６は、ＣＣＫ複合化器３１８に渡される。ＣＣＫ復号器３１８は、推定ベクトル３１６を復号し、オリジナルデータ３２０のビットの系列を検出する。例えば、８０２．１１ｂ規格によれば、４ビットからなるデータ３２０が、レート３で検出され、８ビットからなるデータ３２０が、レート４で検出される。例えば、ＣＣＫ復号器３１８は、当該技術分野で知られているように、最尤推定又は最小平均平方誤差推定を用いたチップマッチトフィルタ検出を用いて実現される。
【００３５】
データ３２０は、ＣＣＫ符号化器３２２に渡される。ＣＣＫ符号化器３２２は、例えば、８０２．１１ｂ規格に従って、データ３２０を、Ｘｓ’＝［Ｘｓ’（１），Ｘｓ’（２），．．．，Ｘｓ’（８）］のように示されるＣＣＫ再符号化シンボル３２４に符号化する。ＣＣＫ再符号化シンボル３２４は、有効なＣＣＫ符号ワードに再符号化された推定ベクトル３１６と考えられる。Ｘｓ’（１），Ｘｓ’（２），．．．，Ｘｓ’（８）は、長さ８のベクトルである符号ワード又は再符号化シンボル３２４のチップと称される。ＣＣＫ再符号化シンボル３２４は有効なＣＣＫ符号ワードであるので、ＣＣＫ再符号化シンボル３２４は、上述したように、ＣＣＫ符号化利得を反映する。ＣＣＫ再符号化シンボル３２４は、更新モジュール３２６に渡される。
【００３６】
チップ推定３１２はまたチップスライサ３２８へ渡される。複素数であると考えられるチップ推定３１２は、当該技術で知られているように、チップスライサ３２８によって直接スライスされたチップ３３２に変換される。これは、Ｘｃ‘（ｉ）と示され、例えば、複素数値＋１，−１，＋ｊ、−ｊのうちの一つを有する。直接スライスされたチップ３３２は、更新モジュール３２６に渡される。
【００３７】
更新モジュール３２６は、Ｘｓ’＝［Ｘｓ’（１），Ｘｓ’（２），．．．，Ｘｓ’（８）］と示されるＣＣＫ再符号化シンボル３２４を、［Ｘｃ’（１），Ｘｃ’（２），．．．，Ｘｃ’（Ｍ）］と示される直接スライスされたチップ３３２の系列と同時に受け取る。ここで、Ｍは、例えば、帰還型フィルタ３１０によって必要とされる入力ベクトルの長さでありうる。更新モジュール３２６は、直接スライスされたチップのベクトル［Ｘｃ’（１），Ｘｃ’（２），．．．，Ｘｃ’（Ｍ）］の先頭、すなわち初めの８ビットを、ＣＣＫ再符号化シンボル３２４、すなわちＣＣＫ符号ワード［Ｘｓ’（１），Ｘｓ’（２），．．．，Ｘｓ’（８）］と置き換えることによって、入力ベクトル３３４と称される帰還型フィルタ３１０への入力のための、長さＭからなるＸ’ｈｙｂｒｉｄと称される混成ベクトルを作成する。
【００３８】
例えば、Ｍ＞８、すなわち、混成すなわち入力ベクトル３３４の長さがＣＣＫ符号ワードの長さよりも大きい場合には、入力ベクトル３３４は、Ｘ’ｈｙｂｒｉｄ＝［Ｘｓ’（１），Ｘｓ’（２），．．．，Ｘｓ’（８），Ｘｃ’（９），．．．，Ｘｃ’（Ｍ）］として形成される。
【００３９】
また、例えば、Ｍ＝８、すなわち、混成すなわち入力ベクトル３３４の長さが、ＣＣＫ符号ワードの長さに等しい場合には、入力ベクトル３３４は、Ｘ’ｈｙｂｒｉｄ＝［Ｘｓ’（１），Ｘｓ’（２），．．．，Ｘｓ’（８）］として形成される。
【００４０】
更に、例えば、Ｍ＜８、すなわち、混成すなわち入力ベクトル３３４の長さが、ＣＣＫ符号ワードの長さよりも小さい場合には、入力ベクトル３３４はＸ’ｈｙｂｒｉｄ＝［Ｘｓ’（１），．．．，Ｘｓ’（Ｍ）］として形成される。タイミング又はチップレートに関し、例えば、更新モジュール３２６は、帰還型フィルタ入力ベクトル３３４の直接スライスされたチップを、直接スライスされたチップレートの１／８のレートで、ＣＣＫ符号ワードチップと置き換える。
【００４１】
帰還型フィルタ３１０の入力において、ＣＣＫ再符号化チップを準備することにより、帰還型フィルタ３１０の出力３０８の誤り率は、個別に直接スライスされたチップの系列にわたって置き換えられたチップのＣＣＫ符号化利得の結果として低減される。これによって、判定帰還型等化器３００及びＣＣＫ復調の全体の性能を改善する。
【００４２】
図４に示すように、例えば図２に示す受信機２００のような無線通信デバイス用の判定帰還型等化器のための方法４００の典型的な実施例が例示されている。例えば、方法４００は、受信機２００の判定帰還型等化器２１４のハードウェア内で実施される。また、方法４００は、例えば、受信機２００内のメモリにロードされたソフトウェア内でも実施される。
【００４３】
典型的な方法４００は、ステップ４０２，４０４，４０５，４０６，４０８，４１０及び４１２を含む。これらは、一つの実施例に従って方法４００を便利に例示することを目的として方法４００を概念的に概説する。典型的な方法４００が、図３Ａに示されている判定帰還型等化器３００と、判定帰還型等化器３００の図３Ｂに示されているサブシステム３５０とを含む典型的な無線通信デバイスのための判定帰還型等化器を参照して例示されている。
【００４４】
方法４００は、ステップ４０２で始まる。ここでは、帰還型フィルタの出力が、フィードフォワードフィルタの出力と加算され、例えばチップ推定３１２のようにチップ推定と称されるチップを与える。
【００４５】
方法４００はステップ４０４に続く。ここでは、ステップ４０２からのチップ推定３１２がバッファされる。例えば、チップ推定３１２が、８からなるグループに集められ、例えば推定ベクトル３１６のような８チップからなる推定チップベクトルを作成する。
【００４６】
方法４００は、ステップ４０５に続く。ここでは、例えば推定ベクトル３１６のような推定チップベクトルが、データにＣＣＫ復号される。例えば、推定ベクトル３１６は、先ずＣＣＫ復号器３１８を用いてデータ３２０に復号される。
【００４７】
方法４００は、その後、ステップ４０６に続く。ここでは、例えばデータ３２０のようなデータが、ＣＣＫ符号ワードに再符号化される。例えば、データ３２０は、ＣＣＫ符号化器３２２を用いてＣＣＫ再符号化され、ＣＣＫ再符号化シンボル３２４、すなわち有効なＣＣＫ符号ワードが提供される。
【００４８】
方法４００は、更にステップ４０８を含んでいる。ここでは、ステップ４０２からのチップ推定が、チップスライサを介して渡される。例えば、チップ推定３１２は、チップスライサを介して渡され、＋１，−１，＋ｊ，−ｊの値を持つ直接スライスされたチップ３３２が提供される。
【００４９】
方法４００は、ステップ４１０に続く。ここでは、直接スライスされたチップのベクトル［Ｘｃ’（１），Ｘｃ’（２），．．．，Ｘｃ’（Ｍ）］のうちの最も最近の直接スライスされたチップの先頭、すなわち初めの８チップを、ＣＣＫ再符号化チップ、すなわちＣＣＫ符号ワード［Ｘｓ’（１），Ｘｓ’（２），．．．，Ｘｓ’（８）］に置き換えることによって、混成ベクトルが形成される。例えば、混成入力ベクトル３３４は、以下に示す例に従って、直接スライスされたチップ３３２と、ＣＣＫ再符号化シンボル３２４とから形成される。Ｍ＞８、すなわち、混成すなわち入力ベクトル３３４の長さがＣＣＫ符号ワードの長さよりも大きい場合には、入力ベクトル３３４は、Ｘ’ｈｙｂｒｉｄ＝［Ｘｓ’（１），Ｘｓ’（２），．．．，Ｘｓ’（８），Ｘｃ’（９），．．．，Ｘｃ’（Ｍ）］として形成される。Ｍ＝８、すなわち、混成すなわち入力ベクトル３３４の長さが、ＣＣＫ符号ワードの長さに等しい場合には、入力ベクトル３３４は、Ｘ’ｈｙｂｒｉｄ＝［Ｘｓ’（１），Ｘｓ’（２），．．．，Ｘｓ’（８）］として形成される。Ｍ＜８、すなわち、混成すなわち入力ベクトル３３４の長さが、ＣＣＫ符号ワードの長さよりも小さい場合には、入力ベクトル３３４はＸ’ｈｙｂｒｉｄ＝［Ｘｓ’（１），．．．，Ｘｓ’（Ｍ）］として形成される。
【００５０】
方法４００は、ステップ４１０からの混成ベクトルを、判定帰還型等化器３００のような判定帰還型等化器の、帰還型フィルタ３１０のような帰還型フィルタの入力に与えるステップ４１２に続く。
【図１】
2011045095.tif 000003
【図２】
2011045095.tif 000004
【図３Ａ】
2011045095.tif 000005
【図３Ｂ】
2011045095.tif 000006
【図４】
2011045095.tif 000007
【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップを提供するチップスライサと、
前記有効な相補的符号化キーイング符号ワードと前記直接スライスされたチップとから混成ベクトルを形成する更新モジュールと、
帰還型フィルタとを備え、前記混成ベクトルが帰還型フィルタの入力ベクトル長さに一致する長さを持ち、前記混成ベクトルが前記帰還型フィルタへの入力ベクトルである判定帰還型等化器。
【請求項２】
前記混成ベクトルは、
前記混成ベクトルの長さが、前記有効な相補的符号化キーイング符号ワードよりも大きい場合、前記直接スライスされたチップが続く前記有効な相補的符号化キーイング符号ワードからなるチップ、
前記混成ベクトルの長さが、前記有効な相補的符号化キーイング符号ワードと等しい場合、前記有効な相補的符号化キーイング符号ワードからなるチップ、
前記混成ベクトルの長さが、前記有効な相補的符号化キーイング符号ワードよりも小さい場合、前記混成ベクトルの長さまでの前記有効な相補的符号化キーイング符号ワードからなるチップ、
として形成される請求項１に記載の判定帰還型等化器。
【請求項３】
フィードフォワードフィルタ出力を持つフィードフォワードフィルタと、
帰還型フィルタ出力を持ち、入力として前記混成ベクトルを受け取る帰還型フィルタと、
前記フィードフォワードフィルタ出力と前記帰還型フィルタ出力とを受け取り、前記複数のチップ推定のチップ推定を生成する加算モジュールと
を更に備えた請求項１に記載の判定帰還型等化器。
【請求項４】
前記相補的符号化キーイング符号化器が、８０２．１１ｂ規格に従って前記チップ推定のベクトルを再符号化する請求項１に記載の判定帰還型等化器。
【請求項５】
フィードフォワードフィルタ出力を提供するフィードフォワードフィルタと、
帰還型フィルタ出力を提供する帰還型フィルタと、
前記フィードフォワードフィルタ出力と、前記帰還型フィルタ出力とを受け取り、複数のチップ推定のチップ推定を生成する加算モジュールと、
複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップの系列を提供するチップスライサと、
前記有効な相補的符号化キーイング符号ワードと前記直接スライスされたチップの系列とから混成ベクトルを形成し、前記帰還型フィルタへの入力ベクトルとして前記混成ベクトルを提供する更新モジュールと
を備えた判定帰還型等化器。
【請求項６】
前記有効な相補的符号化キーイング符号ワードは、［Ｘｓ’（１），Ｘｓ’（２），．．．，Ｘｓ’（８）］の形態をとり、
前記直接スライスされたチップの系列は、前記入力ベクトルが長さＭを持つとき、［Ｘｃ’（１），Ｘｃ’（２），．．．，Ｘｃ’（Ｍ）］の形態をとり、
前記更新モジュールは、Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成し、
前記更新モジュールは、Ｍ＝８の場合、前記混成ベクトルを［Ｘｓ’（１），Ｘｓ’（２），．．．，Ｘｓ’（８）］として形成し、
前記更新モジュールは、Ｍ＜８の場合、前記混成ベクトルを［Ｘｓ’（１），．．．，Ｘｓ’（Ｍ）］として形成する
請求項５に記載の判定帰還型等化器。
【請求項７】
前記有効な相補的符号化キーイング符号ワードは、８０２．１１ｂ規格に従っている請求項５に記載の判定帰還型等化器。
【請求項８】
複数のチップ推定を、チップ推定のベクトルに形成する手段と、
前記チップ推定のベクトルを、相補的符号化キーイング符号ワードに再符号化する手段と、
前記複数のチップ推定のチップをスライスし、直接スライスされたチップの系列を提供する手段と、
前記相補的符号化キーイング符号ワードと前記直接スライスされたチップの系列とから混成ベクトルを形成する手段と、
前記混成ベクトルを入力ベクトルとして帰還型フィルタに提供する手段と、
前記帰還型フィルタの出力を用いて、前記複数のチップ推定のチップ推定を生成する手段と
を備えた判定帰還型等化器。
【請求項９】
フィードフォワードフィルタ出力と帰還型フィルタ出力とを加算し、前記複数のチップ推定のチップ推定を生成する手段を更に備えた請求項８に記載の判定帰還型等化器。
【請求項１０】
前記混成ベクトルを形成する手段は、
前記混成ベクトルの長さが、前記相補的符号化キーイング符号ワードよりも大きい場合、前記直接スライスされたチップの系列のチップが順に続く前記相補的符号化キーイング符号ワードからなるチップとして前記混成ベクトルを形成する手段と、
前記混成ベクトルの長さが、前記相補的符号化キーイング符号ワードの長さと等しい場合、前記相補的符号化キーイング符号ワードからなるチップとして前記混成ベクトルを形成する手段と、
前記混成ベクトルの長さが、前記相補的符号化キーイング符号ワードよりも小さい場合、前記混成ベクトルの長さまでの前記相補的符号化キーイング符号ワードからなるチップとして前記混成ベクトルを形成する手段と
を備えた請求項８に記載の判定帰還型等化器。
【請求項１１】
前記チップ推定のベクトルを前記相補的符号化キーイング符号ワードに再符号化する手段は、８０２．１１ｂ規格に従っている請求項８に記載の判定帰還型等化器。
【請求項１２】
送信機と受信機とを有する無線通信デバイスであって、前記受信機は、
復調のための相補的符号化キーイングデータを提供するフロントエンド処理モジュールと、
前記相補的符号化キーイングデータの相補的符号化キーイング差分符号化直交位相シフトキーイング復調を実行する復調器と、
判定帰還型等化器とを備え、前記判定帰還型等化器は、
前記フロントエンド処理モジュールから前記相補的符号化キーイングデータを受け取り、フィードフォワードフィルタ出力を提供するフィードフォワードフィルタと、
帰還型フィルタ出力を提供する帰還型フィルタと、
前記フィードフォワードフィルタ出力と前記帰還型フィルタ出力とを受け取って、複数のチップ推定のチップ推定を生成する加算モジュールと、
前記複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップの系列を提供するチップスライサと、
前記有効な相補的符号化キーイング符号ワードと前記直接スライスされたチップの系列とから混成ベクトルを形成し、前記混成ベクトルを入力ベクトルとして前記帰還型フィルタに提供する更新モジュールとを含み、
前記有効な相補的符号化キーイング符号ワードは、［Ｘｓ’（１），Ｘｓ’（２），．．．，Ｘｓ’（８）］の形態をとり、
前記直接スライスされたチップの系列は、前記入力ベクトルが長さＭを持つとき、［Ｘｃ’（１），Ｘｃ’（２），．．．，Ｘｃ’（Ｍ）］の形態をとり、
前記更新モジュールは、Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成し、
前記更新モジュールは、Ｍ＝８の場合、前記混成ベクトルを［Ｘｓ’（１），Ｘｓ’（２），．．．，Ｘｓ’（８）］として形成し、
前記更新モジュールは、Ｍ＜８の場合、前記混成ベクトルを［Ｘｓ’（１），．．．，Ｘｓ’（Ｍ）］として形成する
無線通信デバイス。
【請求項１３】
前記相補的符号化キーイング符号化器は、８０２．１１ｂ規格に従って、前記チップ推定のベクトルを、前記有効な相補的符号化キーイング符号ワードに再符号化する請求項１２に記載の無線通信デバイス。
【請求項１４】
無線ローカルエリアネットワークであって、
第一の無線ローカルエリアネットワーク通信デバイスと、
前記第一の無線ローカルエリアネットワーク通信デバイスと通信する第二の無線ローカルエリアネットワーク通信デバイスとを備え、
前記第二の無線ローカルエリアネットワーク通信デバイスは、
前記第一の無線ローカルエリアネットワーク通信デバイスからデータ送信を受信し、前記データ送信をフロントエンド処理モジュールを用いて処理し、復調のための相補的符号化キーイングデータを提供する受信機と、
前記相補的符号化キーイングデータの相補的符号化キーイング差分符号化直交位相シフトキーイング復調を実行する復調器と、
判定帰還型等化器とを含み、前記判定帰還型等化器は、
前記フロントエンド処理モジュールから前記相補的符号化キーイングデータを受け取り、フィードフォワードフィルタ出力を提供するフィードフォワードフィルタと、
帰還型フィルタ出力を提供する帰還型フィルタと、
前記フィードフォワードフィルタ出力と前記帰還型フィルタ出力とを受け取って、複数のチップ推定のチップ推定を生成する加算モジュールと、
前記複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップの系列を提供するチップスライサと、
前記有効な相補的符号化キーイング符号ワードと前記直接スライスされたチップの系列とから混成ベクトルを形成し、前記混成ベクトルを入力ベクトルとして前記帰還型フィルタに提供する更新モジュールとを有し、
前記混成ベクトルが、
前記入力ベクトルの長さが、前記有効な相補的符号化キーイング符号ワードよりも大きい場合、前記直接スライスされたチップの系列のチップが順に続く前記有効な相補的符号化キーイング符号ワードからなるチップ、
前記入力ベクトルの長さが、前記有効な相補的符号化キーイング符号ワードの長さと等しい場合、前記相補的符号化キーイング符号ワードからなるチップ、
前記入力ベクトルの長さが、前記有効な相補的符号化キーイング符号ワードよりも小さい場合、前記入力ベクトルの長さまでの前記有効な相補的符号化キーイング符号ワードからなるチップ
として形成される無線ローカルエリアネットワーク。
【請求項１５】
前記有効な相補的符号化キーイング符号ワードの長さは８であり、
前記有効な相補的符号化キーイング符号ワードは、［Ｘｓ’（１），Ｘｓ’（２），．．．，Ｘｓ’（８）］の形態をとり、
前記直接スライスされたチップの系列は、前記入力ベクトルが長さＭを持つとき、［Ｘｃ’（１），Ｘｃ’（２），．．．，Ｘｃ’（Ｍ）］の形態をとり、
前記更新モジュールは、Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成し、
前記更新モジュールは、Ｍ＝８の場合、前記混成ベクトルを［Ｘｓ’（１），Ｘｓ’（２），．．．，Ｘｓ’（８）］として形成し、
前記更新モジュールは、Ｍ＜８の場合、前記混成ベクトルを［Ｘｓ’（１），．．．，Ｘｓ’（Ｍ）］として形成する
請求項１４に記載の無線ローカルエリアネットワーク。
【請求項１６】
有線ローカルエリアネットワークと通信するアクセスポイントを更に備え、前記第二の無線ローカルエリアネットワーク通信デバイスは、前記アクセスポイントを経由して、前記有線ローカルエリアネットワークと通信する請求項１４に記載の無線ローカルエリアネットワーク。
【請求項１７】
前記データ送信は、８０２．１１ｂ規格に従っている請求項１４に記載の無線ローカルエリアネットワーク。
【請求項１８】
前記相補的符号化キーイング符号化器は、８０２．１１ｂ規格に従って前記チップ推定のベクトルを再符号化する請求項１４に記載の無線ローカルエリアネットワーク。
【請求項１９】
判定帰還型等化のための方法であって、
複数のチップ推定を、チップ推定のベクトルに形成することと、
前記チップ推定のベクトルを、相補的符号化キーイング符号ワードに再符号化することと、
前記複数のチップ推定のうちの一つのチップをスライスし、直接スライスされたチップの系列を提供することと、
前記相補的符号化キーイング符号ワードと前記直接スライスされたチップの系列とから混成ベクトルを形成することと、
前記混成ベクトルを入力ベクトルとして帰還型フィルタに提供することと、
前記帰還型フィルタの出力を用いて、前記複数のチップ推定のチップ推定を生成することと
の各ステップを備えた方法。
【請求項２０】
前記混成ベクトルを形成するステップは、
前記混成ベクトルの長さが、前記相補的符号化キーイング符号ワードよりも大きい場合、前記直接スライスされたチップの系列のチップが順に続く前記相補的符号化キーイング符号ワードからなるチップとして前記混成ベクトルを形成することと、
前記混成ベクトルの長さが、前記相補的符号化キーイング符号ワードの長さと等しい場合、前記相補的符号化キーイング符号ワードからなるチップとして前記混成ベクトルを形成することと、
前記混成ベクトルの長さが、前記相補的符号化キーイング符号ワードよりも小さい場合、前記混成ベクトルの長さまでの前記相補的符号化キーイング符号ワードからなるチップとして前記混成ベクトルを形成することと
を備えた請求項１９に記載の方法。
【請求項２１】
前記相補的符号化キーイング符号ワードは８の長さを持ち、
前記相補的符号化キーイング符号ワードは、［Ｘｓ’（１），Ｘｓ’（２），．．．，Ｘｓ’（８）］の形態をとり、
前記直接スライスされたチップの系列は、前記混成ベクトルが長さＭを持つとき、［Ｘｃ’（１），Ｘｃ’（２），．．．，Ｘｃ’（Ｍ）］の形態をとり、
前記混成ベクトルを形成するステップは、
Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成することと、
Ｍ＝８の場合、前記混成ベクトルを［Ｘｓ’（１），Ｘｓ’（２），．．．，Ｘｓ’（８）］として形成することと、
Ｍ＜８の場合、前記混成ベクトルを［Ｘｓ’（１），．．．，Ｘｓ’（Ｍ）］として形成することと
を含む請求項１９に記載の方法。
【請求項２２】
フィードフォワードフィルタ出力と帰還型フィルタ出力とを加算し、前記複数のチップ推定のチップ推定を生成するステップを更に備えた請求項１９に記載の方法。
【請求項２３】
前記チップ推定のベクトルを相補的符号化キーイング符号ワードに再符号化するステップは、８０２．１１ｂ規格に従っている請求項１９に記載の方法。
【請求項２４】
ローカルエリアネットワーク内のアクセスポイントと無線デバイスとの間の通信のための無線受信機における復調のための等化の方法であって、
第一の無線ローカルエリアネットワーク通信デバイスから第二の無線ローカルエリアネットワーク通信デバイスへのデータ送信を通信することと、
前記第二の無線ローカルエリアネットワーク通信デバイスによって、前記第一の無線ローカルエリアネットワーク通信デバイスからの前記データ送信を受信することと、
前記第二の無線ローカルエリアネットワーク通信デバイスによってフロントエンド処理モジュールを介してデータ送信を処理し、復調のための相補的符号化キーイングデータを提供することと、
前記相補的符号化キーイングデータからの複数のチップ推定を、チップ推定のベクトルに形成することと、
前記チップ推定のベクトルを、相補的符号化キーイング符号ワードに再符号化することと、
前記複数のチップ推定のうちの一つのチップをスライスし、直接スライスされたチップの系列を提供することと、
前記相補的符号化キーイング符号ワードと前記直接スライスされたチップの系列とから混成ベクトルを形成することと、
前記混成ベクトルを入力ベクトルとして帰還型フィルタに提供することと、
前記帰還型フィルタの出力を用いて、前記複数のチップ推定のチップ推定を生成することと
の各ステップを備えた方法。
【請求項２５】
アクセスポイントを経由して、有線ローカルエリアネットワークと、前記データ送信を通信するステップを更に備えた請求項２４に記載の方法。
【請求項２６】
前記混成ベクトルを形成するステップは、
前記混成ベクトルの長さが、前記相補的符号化キーイング符号ワードよりも大きい場合、前記直接スライスされたチップの系列のチップが順に続く前記相補的符号化キーイング符号ワードからなるチップを前記混成ベクトルとして形成することと、
前記混成ベクトルの長さが、前記相補的符号化キーイング符号ワードの長さと等しい場合、前記相補的符号化キーイング符号ワードからなるチップを前記混成ベクトルとして形成することと、
前記混成ベクトルの長さが、前記相補的符号化キーイング符号ワードよりも小さい場合、前記混成ベクトルの長さまでの前記相補的符号化キーイング符号ワードからなるチップとして前記混成ベクトルを形成することと
を備えた請求項２４に記載の方法。
【請求項２７】
前記相補的符号化キーイング符号ワードは８の長さを持ち、
前記相補的符号化キーイング符号ワードは、［Ｘｓ’（１），Ｘｓ’（２），．．．，Ｘｓ’（８）］の形態をとり、
前記直接スライスされたチップの系列は、前記混成ベクトルが長さＭを持つとき、［Ｘｃ’（１），Ｘｃ’（２），．．．，Ｘｃ’（Ｍ）］の形態をとり、
前記混成ベクトルを形成するステップは、
Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成することと、
Ｍ＝８の場合、前記混成ベクトルを［Ｘｓ’（１），Ｘｓ’（２），．．．，Ｘｓ’（８）］として形成することと、
Ｍ＜８の場合、前記混成ベクトルを［Ｘｓ’（１），．．．，Ｘｓ’（Ｍ）］として形成することと
を含む請求項２４に記載の方法。
【請求項２８】
前記チップ推定のベクトルを相補的符号化キーイング符号ワードに再符号化するステップは、８０２．１１ｂ規格に従っている請求項２４に記載の方法。
【請求項２９】
前記データ送信を通信するステップは、８０２．１１ｂに従っている含む請求項２４に記載の方法。
【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップを提供するチップスライサと、
前記有効な相補的符号化キーイング符号ワードと前記直接スライスされたチップとから混成ベクトルを形成する更新モジュールとを備え、
前記混成ベクトルは、
前記混成ベクトルの長さが、前記有効な相補的符号化キーイング符号ワードよりも大きい場合、前記直接スライスされたチップが続く前記有効な相補的符号化キーイング符号ワードからなるチップ、
前記混成ベクトルの長さが、前記有効な相補的符号化キーイング符号ワードと等しい場合、前記有効な相補的符号化キーイング符号ワードからなるチップ、
前記混成ベクトルの長さが、前記有効な相補的符号化キーイング符号ワードよりも小さい場合、前記混成ベクトルの長さまでの前記有効な相補的符号化キーイング符号ワードからなるチップ、
として形成される判定帰還型等化器。
【請求項２】
複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップを提供するチップスライサと、
前記有効な相補的符号化キーイング符号ワードと前記直接スライスされたチップとから混成ベクトルを形成する更新モジュールと、
帰還型フィルタとを備え、
前記混成ベクトルが帰還型フィルタの入力ベクトル長さに一致する長さを持ち、前記混成ベクトルが前記帰還型フィルタへの入力ベクトルである判定帰還型等化器。
【請求項３】
複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップを提供するチップスライサと、
前記有効な相補的符号化キーイング符号ワードと前記直接スライスされたチップとから混成ベクトルを形成する更新モジュールと、
フィードフォワードフィルタ出力を持つフィードフォワードフィルタと、
帰還型フィルタ出力を持ち、入力として前記混成ベクトルを受け取る帰還型フィルタと、
前記フィードフォワードフィルタ出力と前記帰還型フィルタ出力とを受け取り、前記複数のチップ推定のチップ推定を生成する加算モジュールと
を備えた判定帰還型等化器。
【請求項４】
複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップを提供するチップスライサと、
前記有効な相補的符号化キーイング符号ワードと前記直接スライスされたチップとから混成ベクトルを形成する更新モジュールとを備え、
前記相補的符号化キーイング符号化器が、８０２．１１ｂ規格に従って前記チップ推定のベクトルを再符号化する判定帰還型等化器。
【請求項５】
フィードフォワードフィルタ出力を提供するフィードフォワードフィルタと、
帰還型フィルタ出力を提供する帰還型フィルタと、
前記フィードフォワードフィルタ出力と、前記帰還型フィルタ出力とを受け取り、複数のチップ推定のチップ推定を生成する加算モジュールと、
複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップの系列を提供するチップスライサと、
前記有効な相補的符号化キーイング符号ワードと前記直接スライスされたチップの系列とから混成ベクトルを形成し、前記帰還型フィルタへの入力ベクトルとして前記混成ベクトルを提供する更新モジュールと
を備えた判定帰還型等化器。
【請求項６】
前記有効な相補的符号化キーイング符号ワードは、［Ｘｓ’（１），Ｘｓ’（２），．．．，Ｘｓ’（８）］の形態をとり、
前記直接スライスされたチップの系列は、前記入力ベクトルが長さＭを持つとき、［Ｘｃ’（１），Ｘｃ’（２），．．．，Ｘｃ’（Ｍ）］の形態をとり、
前記更新モジュールは、Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成し、
前記更新モジュールは、Ｍ＝８の場合、前記混成ベクトルを［Ｘｓ’（１），Ｘｓ’（２），．．．，Ｘｓ’（８）］として形成し、
前記更新モジュールは、Ｍ＜８の場合、前記混成ベクトルを［Ｘｓ’（１），．．．，Ｘｓ’（Ｍ）］として形成する
請求項５に記載の判定帰還型等化器。
【請求項７】
前記有効な相補的符号化キーイング符号ワードは、８０２．１１ｂ規格に従っている請求項５に記載の判定帰還型等化器。
【請求項８】
複数のチップ推定を、チップ推定のベクトルに形成する手段と、
前記チップ推定のベクトルを、相補的符号化キーイング符号ワードに再符号化する手段と、
前記複数のチップ推定のチップをスライスし、直接スライスされたチップの系列を提供する手段と、
前記相補的符号化キーイング符号ワードと前記直接スライスされたチップの系列とから混成ベクトルを形成する手段と
を備えた判定帰還型等化器。
【請求項９】
前記混成ベクトルを入力ベクトルとして帰還型フィルタに提供する手段と、
前記帰還型フィルタの出力を用いて、前記複数のチップ推定のチップ推定を生成する手段と
を更に備えた請求項８に記載の判定帰還型等化器。
【請求項１０】
フィードフォワードフィルタ出力と帰還型フィルタ出力とを加算し、前記複数のチップ推定のチップ推定を生成する手段を更に備えた請求項８に記載の判定帰還型等化器。
【請求項１１】
前記混成ベクトルを形成する手段は、
前記混成ベクトルの長さが、前記相補的符号化キーイング符号ワードよりも大きい場合、前記直接スライスされたチップの系列のチップが順に続く前記相補的符号化キーイング符号ワードからなるチップとして前記混成ベクトルを形成する手段と、
前記混成ベクトルの長さが、前記相補的符号化キーイング符号ワードの長さと等しい場合、前記相補的符号化キーイング符号ワードからなるチップとして前記混成ベクトルを形成する手段と、
前記混成ベクトルの長さが、前記相補的符号化キーイング符号ワードよりも小さい場合、前記混成ベクトルの長さまでの前記相補的符号化キーイング符号ワードからなるチップとして前記混成ベクトルを形成する手段と
を備えた請求項８に記載の判定帰還型等化器。
【請求項１２】
前記チップ推定のベクトルを前記相補的符号化キーイング符号ワードに再符号化する手段は、８０２．１１ｂ規格に従っている請求項８に記載の判定帰還型等化器。
【請求項１３】
送信機と受信機とを有する無線通信デバイスであって、前記受信機は、
復調のための相補的符号化キーイングデータを提供するフロントエンド処理モジュールと、
前記相補的符号化キーイングデータの相補的符号化キーイング差分符号化直交位相シフトキーイング復調を実行する復調器と、
判定帰還型等化器とを備え、前記判定帰還型等化器は、
前記フロントエンド処理モジュールから前記相補的符号化キーイングデータを受け取り、フィードフォワードフィルタ出力を提供するフィードフォワードフィルタと、
帰還型フィルタ出力を提供する帰還型フィルタと、
前記フィードフォワードフィルタ出力と前記帰還型フィルタ出力とを受け取って、複数のチップ推定のチップ推定を生成する加算モジュールと、
前記複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップの系列を提供するチップスライサと、
前記有効な相補的符号化キーイング符号ワードと前記直接スライスされたチップの系列とから混成ベクトルを形成し、前記混成ベクトルを入力ベクトルとして前記帰還型フィルタに提供する更新モジュールとを含み、
前記有効な相補的符号化キーイング符号ワードは、［Ｘｓ’（１），Ｘｓ’（２），．．．，Ｘｓ’（８）］の形態をとり、
前記直接スライスされたチップの系列は、前記入力ベクトルが長さＭを持つとき、［Ｘｃ’（１），Ｘｃ’（２），．．．，Ｘｃ’（Ｍ）］の形態をとり、
前記更新モジュールは、Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成し、
前記更新モジュールは、Ｍ＝８の場合、前記混成ベクトルを［Ｘｓ’（１），Ｘｓ’（２），．．．，Ｘｓ’（８）］として形成し、
前記更新モジュールは、Ｍ＜８の場合、前記混成ベクトルを［Ｘｓ’（１），．．．，Ｘｓ’（Ｍ）］として形成する
無線通信デバイス。
【請求項１４】
前記相補的符号化キーイング符号化器は、８０２．１１ｂ規格に従って、前記チップ推定のベクトルを、前記有効な相補的符号化キーイング符号ワードに再符号化する請求項１３に記載の無線通信デバイス。
【請求項１５】
無線ローカルエリアネットワークであって、
第一の無線ローカルエリアネットワーク通信デバイスと、
前記第一の無線ローカルエリアネットワーク通信デバイスと通信する第二の無線ローカルエリアネットワーク通信デバイスとを備え、
前記第二の無線ローカルエリアネットワーク通信デバイスは、
前記第一の無線ローカルエリアネットワーク通信デバイスからデータ送信を受信し、前記データ送信をフロントエンド処理モジュールを用いて処理し、復調のための相補的符号化キーイングデータを提供する受信機と、
前記相補的符号化キーイングデータの相補的符号化キーイング差分符号化直交位相シフトキーイング復調を実行する復調器と、
判定帰還型等化器とを含み、前記判定帰還型等化器は、
前記フロントエンド処理モジュールから前記相補的符号化キーイングデータを受け取り、フィードフォワードフィルタ出力を提供するフィードフォワードフィルタと、
帰還型フィルタ出力を提供する帰還型フィルタと、
前記フィードフォワードフィルタ出力と前記帰還型フィルタ出力とを受け取って、複数のチップ推定のチップ推定を生成する加算モジュールと、
前記複数のチップ推定を、チップ推定のベクトルに形成するチップ推定バッファと、
前記チップ推定のベクトルを復号する相補的符号化キーイング復号器と、
前記相補的符号化キーイング復号器に接続され、前記チップ推定のベクトルを、有効な相補的符号化キーイング符号ワードに再符号化する相補的符号化キーイング符号化器と、
前記複数のチップ推定から直接スライスされたチップの系列を提供するチップスライサと、
前記有効な相補的符号化キーイング符号ワードと前記直接スライスされたチップの系列とから混成ベクトルを形成し、前記混成ベクトルを入力ベクトルとして前記帰還型フィルタに提供する更新モジュールとを有し、
前記混成ベクトルが、
前記入力ベクトルの長さが、前記有効な相補的符号化キーイング符号ワードよりも大きい場合、前記直接スライスされたチップの系列のチップが順に続く前記有効な相補的符号化キーイング符号ワードからなるチップ、
前記入力ベクトルの長さが、前記有効な相補的符号化キーイング符号ワードの長さと等しい場合、前記相補的符号化キーイング符号ワードからなるチップ、
前記入力ベクトルの長さが、前記有効な相補的符号化キーイング符号ワードよりも小さい場合、前記入力ベクトルの長さまでの前記有効な相補的符号化キーイング符号ワードからなるチップ
として形成される無線ローカルエリアネットワーク。
【請求項１６】
前記有効な相補的符号化キーイング符号ワードの長さは８であり、
前記有効な相補的符号化キーイング符号ワードは、［Ｘｓ’（１），Ｘｓ’（２），．．．，Ｘｓ’（８）］の形態をとり、
前記直接スライスされたチップの系列は、前記入力ベクトルが長さＭを持つとき、［Ｘｃ’（１），Ｘｃ’（２），．．．，Ｘｃ’（Ｍ）］の形態をとり、
前記更新モジュールは、Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成し、
前記更新モジュールは、Ｍ＝８の場合、前記混成ベクトルを［Ｘｓ’（１），Ｘｓ’（２），．．．，Ｘｓ’（８）］として形成し、
前記更新モジュールは、Ｍ＜８の場合、前記混成ベクトルを［Ｘｓ’（１），．．．，Ｘｓ’（Ｍ）］として形成する
請求項１５に記載の無線ローカルエリアネットワーク。
【請求項１７】
有線ローカルエリアネットワークと通信するアクセスポイントを更に備え、前記第二の無線ローカルエリアネットワーク通信デバイスは、前記アクセスポイントを経由して、前記有線ローカルエリアネットワークと通信する請求項１５に記載の無線ローカルエリアネットワーク。
【請求項１８】
前記データ送信は、８０２．１１ｂ規格に従っている請求項１５に記載の無線ローカルエリアネットワーク。
【請求項１９】
前記相補的符号化キーイング符号化器は、８０２．１１ｂ規格に従って前記チップ推定のベクトルを再符号化する請求項１５に記載の無線ローカルエリアネットワーク。
【請求項２０】
判定帰還型等化のための方法であって、
複数のチップ推定を、チップ推定のベクトルに形成することと、
前記チップ推定のベクトルを、相補的符号化キーイング符号ワードに再符号化することと、
前記複数のチップ推定のうちの一つのチップをスライスし、直接スライスされたチップの系列を提供することと、
前記相補的符号化キーイング符号ワードと前記直接スライスされたチップの系列とから混成ベクトルを形成することと
の各ステップを備えた方法。
【請求項２１】
前記混成ベクトルを入力ベクトルとして帰還型フィルタに提供することと、
前記帰還型フィルタの出力を用いて、前記複数のチップ推定のチップ推定を生成することと
の各ステップを更に備えた請求項２０に記載の方法。
【請求項２２】
前記混成ベクトルを形成するステップは、
前記混成ベクトルの長さが、前記相補的符号化キーイング符号ワードよりも大きい場合、前記直接スライスされたチップの系列のチップが順に続く前記相補的符号化キーイング符号ワードからなるチップとして前記混成ベクトルを形成することと、
前記混成ベクトルの長さが、前記相補的符号化キーイング符号ワードの長さと等しい場合、前記相補的符号化キーイング符号ワードからなるチップとして前記混成ベクトルを形成することと、
前記混成ベクトルの長さが、前記相補的符号化キーイング符号ワードよりも小さい場合、前記混成ベクトルの長さまでの前記相補的符号化キーイング符号ワードからなるチップとして前記混成ベクトルを形成することと
を備えた請求項２０に記載の方法。
【請求項２３】
前記相補的符号化キーイング符号ワードは８の長さを持ち、
前記相補的符号化キーイング符号ワードは、［Ｘｓ’（１），Ｘｓ’（２），．．．，Ｘｓ’（８）］の形態をとり、
前記直接スライスされたチップの系列は、前記混成ベクトルが長さＭを持つとき、［Ｘｃ’（１），Ｘｃ’（２），．．．，Ｘｃ’（Ｍ）］の形態をとり、
前記混成ベクトルを形成するステップは、
Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成することと、
Ｍ＝８の場合、前記混成ベクトルを［Ｘｓ’（１），Ｘｓ’（２），．．．，Ｘｓ’（８）］として形成することと、
Ｍ＜８の場合、前記混成ベクトルを［Ｘｓ’（１），．．．，Ｘｓ’（Ｍ）］として形成することと
を含む請求項２０に記載の方法。
【請求項２４】
フィードフォワードフィルタ出力と帰還型フィルタ出力とを加算し、前記複数のチップ推定のチップ推定を生成するステップを更に備えた請求項２０に記載の方法。
【請求項２５】
前記チップ推定のベクトルを相補的符号化キーイング符号ワードに再符号化するステップは、８０２．１１ｂ規格に従っている請求項２０に記載の方法。
【請求項２６】
ローカルエリアネットワーク内のアクセスポイントと無線デバイスとの間の通信のための無線受信機における復調のための等化の方法であって、
第一の無線ローカルエリアネットワーク通信デバイスから第二の無線ローカルエリアネットワーク通信デバイスへのデータ送信を通信することと、
前記第二の無線ローカルエリアネットワーク通信デバイスによって、前記第一の無線ローカルエリアネットワーク通信デバイスからの前記データ送信を受信することと、
前記第二の無線ローカルエリアネットワーク通信デバイスによってフロントエンド処理モジュールを介してデータ送信を処理し、復調のための相補的符号化キーイングデータを提供することと、
前記相補的符号化キーイングデータからの複数のチップ推定を、チップ推定のベクトルに形成することと、
前記チップ推定のベクトルを、相補的符号化キーイング符号ワードに再符号化することと、
前記複数のチップ推定のうちの一つのチップをスライスし、直接スライスされたチップの系列を提供することと、
前記相補的符号化キーイング符号ワードと前記直接スライスされたチップの系列とから混成ベクトルを形成することと
の各ステップを備えた方法。
【請求項２７】
前記混成ベクトルを入力ベクトルとして帰還型フィルタに提供することと、
前記帰還型フィルタの出力を用いて、前記複数のチップ推定のチップ推定を生成することと
の各ステップを更に備えた請求項２６に記載の方法。
【請求項２８】
アクセスポイントを経由して、有線ローカルエリアネットワークと、前記データ送信を通信するステップを更に備えた請求項２６に記載の方法。
【請求項２９】
前記混成ベクトルを形成するステップは、
前記混成ベクトルの長さが、前記相補的符号化キーイング符号ワードよりも大きい場合、前記直接スライスされたチップの系列のチップが順に続く前記相補的符号化キーイング符号ワードからなるチップを前記混成ベクトルとして形成することと、
前記混成ベクトルの長さが、前記相補的符号化キーイング符号ワードの長さと等しい場合、前記相補的符号化キーイング符号ワードからなるチップを前記混成ベクトルとして形成することと、
前記混成ベクトルの長さが、前記相補的符号化キーイング符号ワードよりも小さい場合、前記混成ベクトルの長さまでの前記相補的符号化キーイング符号ワードからなるチップとして前記混成ベクトルを形成することと
を備えた請求項２６に記載の方法。
【請求項３０】
前記相補的符号化キーイング符号ワードは８の長さを持ち、
前記相補的符号化キーイング符号ワードは、［Ｘｓ’（１），Ｘｓ’（２），．．．，Ｘｓ’（８）］の形態をとり、
前記直接スライスされたチップの系列は、前記混成ベクトルが長さＭを持つとき、［Ｘｃ’（１），Ｘｃ’（２），．．．，Ｘｃ’（Ｍ）］の形態をとり、
前記混成ベクトルを形成するステップは、
Ｍ＞８の場合、前記混成ベクトルを［Ｘｓ’（１），Ｘｓ’（２），．．．，Ｘｓ’（８），Ｘｃ’（９），．．．，Ｘｃ’（Ｍ）］として形成することと、
Ｍ＝８の場合、前記混成ベクトルを［Ｘｓ’（１），Ｘｓ’（２），．．．，Ｘｓ’（８）］として形成することと、
Ｍ＜８の場合、前記混成ベクトルを［Ｘｓ’（１），．．．，Ｘｓ’（Ｍ）］として形成することと
を含む請求項２６に記載の方法。
【請求項３１】
前記チップ推定のベクトルを相補的符号化キーイング符号ワードに再符号化するステップは、８０２．１１ｂ規格に従っている請求項２６に記載の方法。
【請求項３２】
前記データ送信を通信するステップは、８０２．１１ｂに従っている含む請求項２６に記載の方法。
【外国語明細書】
2011045095000001.pdf